(57)【要約】【課題】食品や水などだけでなく体にも効果的に、かつ直接的にエネルギを付与することが可能なエネルギ付与装置を提供する。【解決手段】  エネルギ付与装置１０は、装置本体２０と、装置本体２０に接続されたケーブル付きのパッド部４０とを備えている。装置本体２０は、制御回路５０と、制御回路５０が収納されるケースの上面に、被転写体が載置されるテーブルの下方に配置された付与部６０とを備えている。パッド部４０にも、対象体に電磁気的エネルギによる波動を付与する付与部６０が内蔵されている。制御回路５０は、シューマン波を含む混合波を発生する第１波形出力手段５１と、矩形波を発生する第２波形出力手段５２とを備えている。付与部６９は、第１波形出力手段５１からの信号を入力するコイル部７０と、コイル部７０の中心部の空間に配置され、第２波形出力手段５２からの信号を入力するコア部８０とを備えている。【選択図】図２
2020058662.tif 000002
【特許請求の範囲】
【請求項１】
装置本体と、前記装置本体に接続されたケーブル付きのパッド部とを備え、
前記装置本体は、制御回路と、前記制御回路が収納されるケースの上面に、被転写体が載置されるテーブルの下方に配置された付与部とを備え、
前記パッド部にも、対象体に電磁気的エネルギによる波動を付与する前記付与部が内蔵され、
前記制御回路は、シューマン波を含む混合波を発生する第１波形出力手段と、矩形波を発生する第２波形出力手段とを備え、
前記付与部は、前記第１波形出力手段からの信号を入力するコイル部と、前記コイル部の中心部の空間に配置され、前記第２波形出力手段からの信号を入力するコア部とを備え、
前記コア部は、矩形ブロック状に形成されたフェライトコアと、前記コイル部の開口に向いた前記フェライトコアの主面の角部に設けられた電極と、一方の前記主面の前記電極、および一側に隣接する角部であり、反対面となる他方の前記主面の角部に設けられた電極を接続する配線とを備え、前記第２波形出力手段からの信号が前記一方の前記主面の前記電極に出力されたエネルギ付与装置。
【請求項２】
前記装置本体に、前記付与部が内蔵された他のケーブル付きのパッド部を接続するコネクタを備えた請求項１記載のエネルギ付与装置。
【請求項３】
前記フェライトコアに設けられた隣接する前記電極同士の間に貫通孔が形成され、
前記貫通孔に渦巻き状態のフェライト含有繊維が配置された請求項１または２記載のエネルギ付与装置。
【発明の詳細な説明】
【技術分野】
【０００１】
本発明は、電磁気的エネルギによる波動を対象体に付与するエネルギ付与装置に関するものである。
【背景技術】
【０００２】
電磁気的エネルギによる波動を付与することにより、体の波動を整えたり、服用した薬の効果を高めたり、食品の味を整えたり、水の性質を変えたりすることが知られている。
そこで、本発明者は、有害波動を効率的に吸収すると共に有益な波動へ変成することができるフェライト含有繊維を開発した（特許文献１参照）。
【０００３】
この特許文献１に記載のフェライト含有繊維は、繊維材料に、平均粒子径が約１ミクロンのフェライト粉を約２０〜４０ｗｔ％含有させて所望の太さの繊維に形成したものである。このフェライト含有繊維を素材とする寝具、シーツ等を近接して使用すると、フェライト粉は人体の障害がある器官から発生する波動環境とアンバランス状態の波動を吸収して増幅し、新たな波動を生じさせ、これにより障害をもった器官から発生する波動を、該器官が本来有るべき波動環境にバランスさせることにより器官の障害による痛みを低減させることができる。
【０００４】
また、波動を発生させる装置として、特許文献２に記載されたものが知られている。
この特許文献２に記載の波動転写機は、オリジナル側とコピー側の２つのコイルを並べて設け、通電によってこれら２つのコイル間に生じる干渉磁場の磁気エネルギを利用して、オリジナル側のコイル上に載せた物質から発する固有の微弱信号（波動エネルギ）を、コピー側のコイル上に載せた物質側に転写するように構成したものである。
【先行技術文献】
【特許文献】
【０００５】
【特許文献１】特開平１０−１４０４１９号公報
【特許文献２】特開平９−１８２７２７号公報
【特許文献３】特許第５１３２４２２号公報
【発明の概要】
【発明が解決しようとする課題】
【０００６】
しかし、特許文献２に記載の波動転写機では、プラスの波動を水等に転写させる場合に使用するために、ケースの上面に適当な間隔をあけて、オリジナル側とコピー側との載置部を設けたものである。従って、この波動転写機から痛みを感じる体の部位に、直接的に磁気エネルギを付与するのは困難である。
【０００７】
そこで本発明は、食品や水などだけでなく体にも効果的に、かつ直接的にエネルギを付与することが可能なエネルギ付与装置を提供することを目的とする。
【課題を解決するための手段】
【０００８】
本発明のエネルギ付与装置は、装置本体と、前記装置本体に接続されたケーブル付きのパッド部とを備え、前記装置本体は、制御回路と、前記制御回路が収納されるケースの上面に、被転写体が載置されるテーブルの下方に配置された付与部とを備え、前記パッド部にも、対象体に電磁気的エネルギによる波動を付与する前記付与部が内蔵され、前記制御回路は、シューマン波を含む混合波を発生する第１波形出力手段と、矩形波を発生する第２波形出力手段とを備え、前記付与部は、前記第１波形出力手段からの信号を入力するコイル部と、前記コイル部の中心部の空間に配置され、前記第２波形出力手段からの信号を入力するコア部とを備え、前記コア部は、矩形ブロック状に形成されたフェライトコアと、前記コイル部の開口に向いた前記フェライトコアの主面の角部に設けられた電極と、一方の前記主面の前記電極、および一側に隣接する角部であり、反対面となる他方の前記主面の角部に設けられた電極を接続する配線とを備え、前記第２波形出力手段からの信号が前記一方の前記主面の前記電極に出力されたことを特徴としたものである。
【０００９】
本発明のエネルギ付与装置によれば、コイル部に第１波形出力手段からの混合波が流れ、コイル部にコア部が配置されているため、インダクタンスを高めたコイル部から方向性のあるエネルギ場を対象体へ付与することができる。また、コア部に第２波形出力手段からの矩形波による信号を印加することで、フェライトコアを挟む電極からも電磁気的エネルギの向上が期待できる。更に、パッド部がケーブルにより装置本体に接続されているため、パッド部を対象体に向けることで、直接的に磁気エネルギを付与することができる。
【００１０】
前記装置本体に、前記付与部が内蔵された他のケーブル付きのパッド部を接続するコネクタを備えることができる。
装置本体に接続されたケーブル付きパッド部だけでなく、他のケーブル付きパッド部をコネクタに接続することで、２個のパッド部により対象体に向けて挟めば、より効果的に電磁気的エネルギを付与することができる。
【００１１】
前記フェライトコアに設けられた隣接する前記電極同士の間に貫通孔が形成され、前記貫通孔に渦巻き状態のフェライト含有繊維を配置することができる。
フェライト含有繊維が渦巻き状に巻かれているため、フェライト含有繊維を高い密度でフェライトコアに配置することができ。従って、フェライト含有繊維による効果を高めることができる。
【発明の効果】
【００１２】
本発明のエネルギ付与装置によれば、パッド部がケーブルにより装置本体に接続されており、パッド部を対象体に向けることで、直接的に磁気エネルギを付与することができるため、食品や水などだけでなく体にも効果的に、かつ直接的にエネルギを付与することが可能である。
【図面の簡単な説明】
【００１３】
【図１】本発明の実施の形態に係るエネルギ付与装置を示す斜視図である。
【図２】図１に示すエネルギ付与装置の構成を説明するための図である。
【図３】図２に示すエネルギ付与装置における付与部のコア部を説明するための斜視図である。
【図４】図２に示すエネルギ付与装置の制御回路を構成する電気回路の一例を説明するための図である。
【図５】図１に示すエネルギ付与装置を、痛みを感じる２２人の被験者について使用した例を示す図である。
【発明を実施するための形態】
【００１４】
本発明の実施の形態に係るエネルギ付与装置を図面に基づいて説明する。
図１に示すエネルギ付与装置１０は、電磁気的エネルギによる波動を対象体に付与するものである。対象体は人体とすることができる。また、対象体は水、食品、空気などとすることができる。
エネルギ付与装置１０は、装置本体２０と、装置本体２０の背面に接続されたケーブル３０付きのパッド部４０とを備えている。
【００１５】
装置本体２０は、箱状のケース２１の前面２１ａに各種のスイッチ２２が配置されている。スイッチ２２は、電源スイッチ２２ａと、パッド部４０への信号の波形および周波数を切り替えるための第１スイッチ２２ｂおよび第２スイッチ２２ｃとを備えている。
ケース２１の背面２１ｂには、パッド部４０から伸びるケーブル３０先端に設けられたプラグ３１（図２参照）を接続するためのコネクタ２３（図２参照）が配置されている。本実施の形態では、２個のパッド部４０が接続できるよう、一方のコネクタ２３以外に他方のコネクタ２３が設けられている。
ケース２１の上面２１ｃには、被転写体を載置するためのテーブル２１ｄが形成されている。
【００１６】
ケース２１には、制御回路５０と、付与部６０とが内蔵されている。なお、付与部６０は、パッド部４０にも内蔵されている。
ケース２１に内蔵された付与部６０は、図１に示すテーブル２１ｄの下方に配置されている。
【００１７】
制御回路５０は、図２に示すように、第１波形出力手段５１と、第２波形出力手段５２と、第１増幅部５３と、第２増幅部５４と、上述した第１スイッチ２２ｂおよび第２スイッチ２２ｃとを備えている。
第１波形出力手段５１は、シューマン波と他の波形の信号とを混合させた信号を発生する機能を備えている。本実施の形態では、第１波形出力手段５１は、４時間ごとに同じ波形を繰り返す第１波形と、３０分ごとに同じ波形を繰り返す第２波形とを示す信号データが格納された記憶手段と、この記憶手段から第１波形および第２波形を示す信号データを読み出し出力する読出手段とを備えたものとしている。
【００１８】
第２波形出力手段５２は、矩形波を発生する機能を備えている。本実施の形態では、第２波形出力手段５２は、複数周波数の矩形波の信号を発生するもので、第１周波数として３２Ｈｚの信号、第２周波数として７．８Ｈｚの信号、第３周波数として７．８Ｈｚから３２Ｈｚまで連続的に変化する信号を発生することができる。
【００１９】
第１増幅部５３は、第１波形出力手段５１からの信号を増幅して付与部６０の後述するコイル部に出力するものである。
第１増幅部５３は、ケース２１に内蔵された付与部６０へ出力する内蔵用第１増幅部５３１と、パッド部４０に内蔵された付与部６０へ出力する外部用第１増幅部５３２とから形成されている。
【００２０】
第２増幅部５４は、第２波形出力手段５２からの信号を増幅して付与部６０の後述するコア部に出力するものである。
第２増幅部５４は、ケース２１に内蔵された付与部６０へ出力する内蔵用第２増幅部５４１と、パッド部４０の付与部６０へ出力する外部用第２増幅部５４２とから形成されている。
【００２１】
第１スイッチ２２ｂは、第１波形出力手段５１からの第１波形と第２波形とのいずれかの信号を選択するためのものである。
第２スイッチ２２ｃは、第２波形出力手段５２からの第１周波数から第３周波数のいずれかの信号を選択するものである。
【００２２】
ケース２１に内蔵された付与部６０と、パッド部４０に内蔵された付与部６０とは、第１波形出力手段５１からの信号を入力するコイル部７０と、第２波形出力手段５２からの信号を入力するコア部８０（図３参照）とから構成されている。
コイル部７０は、導線を巻いたものであり、矩形リング状に形成されている。
【００２３】
図３に示すように、コア部８０は、強磁性体で絶縁体である矩形ブロック状のフェライトコア８１が本体部として使用されている。
フェライトコア８１は、コイル部７０の中心部の空間に配置され、コイル部７０のコイル部７０の開口に主面８１ａを向けると共に、厚み面８１ｂをコイル部７０の線材に向けている。
コイル部７０の開口に向いたフェライトコア８１の主面８１ａの角部８１ｃには、矩形状の電極８２が設けられている。
一方の主面８１ａの電極８２と、一側に隣接する角部であり、反対面となる他方の主面８１ａの角部に設けられた電極８２とは、配線８３により電極８２同士が接続されている。
また、一方の面側の電極８２には、コア部８０が、図２に示すケース２１に内蔵されたものであれば、内蔵用第１増幅部５３１からの信号線（後述する出力線Ｓ１１〜Ｓ１４）が接続され、コネクタ２３に接続されるパッド部４０に内蔵されたものであれば、ケーブル３０内の配線（後述する出力線Ｓ２１〜Ｓ２４であり、コネクタ２３に接続される出力線Ｓ２１〜Ｓ２４）が接続されている。
【００２４】
隣接する電極８２同士の間には、開口形状が矩形状の貫通孔８４が厚み方向に開設されている。
貫通孔８４には、帯状に形成されたフェライト含有繊維８５が渦巻き状態で配置されている。このフェライト含有繊維８５は、特許文献１に記載のフェライト含有繊維とすることができる。
【００２５】
ここで、制御回路５０について図面に基づいて詳細に説明する。
制御回路５０は、例えば、図４に示す電気回路１００により構成することができる。
図４に示す電気回路１００においては、図２に示す第１波形出力手段５１の記憶手段としてＳＤカード（図示せず）を使用しており、読出手段として、このＳＤカードからデータを読み出すＳＤプレーヤー１０１を使用している。
【００２６】
ＳＤプレーヤー１０１からの、第１波形を出力する右チャンネルと、第２波形を出力する左チャンネルとは、第１スイッチ２２ｂにより選択され、第１増幅部５３の外部用第１増幅部５３２としてオペアンプ１１１に、内蔵用第１増幅部５３１としてオペアンプ１１２に入力されている。
オペアンプ１１１の出力は、外部からのパッド部４０と接続するための２個のコネクタ２３のそれぞれに接続され、コイル部７０へ出力される。
オペアンプ１１２の出力は、内蔵の付与部６０のコイル部７０へ出力される。
本実施の形態では、オペアンプ１１１，１１２は、ＨＯＬＴＥＫ社製のオーディオパワーアンプ「ＨＴ８２Ｖ７３９」を使用している。
【００２７】
第２波形出力手段５２は、ＰＩＣ（Peripheral Interface Controller）と称されるマイクロコントローラー１０２を使用している。本実施の形態では、マイクロコントローラー１０２は、ＭＩＣＲＯＣＨＩＰ社製の「１２Ｆ６２９」を使用している。
マイクロコントローラー１０２には、第２スイッチ２２ｃが接続されている。
マイクロコントローラー１０２からの２本の信号線は、第２増幅部５４の内蔵用第２増幅部５４１と外部用第２増幅部５４２として機能する４個のＮチャンネル型のＦＥＴ（第１トランジスタ１２１〜第４トランジスタ１２４）のゲート端子に抵抗を介して接続されている。
【００２８】
第１トランジスタ１２１〜第４トランジスタ１２４のドレイン端子には、＋４８Ｖの電源にプルアップ抵抗を介して接続されると共に、ケース２１に内蔵された付与部６０のコア部８０に接続される出力線Ｓ１１〜Ｓ１４が接続されている。
第１トランジスタ１２１〜第４トランジスタ１２４のソース端子には、グランドにプルダウン抵抗を介して接続されると共に、パッド部４０と接続するための２個のコネクタ２３のそれぞれに接続され、付与部６０のコア部８０と接続される出力線Ｓ２１〜Ｓ２４が接続されている。
【００２９】
以上のように構成された本発明の実施の形態に係るエネルギ付与装置１０の動作および使用状態を図面に基づいて説明する。
使用者は、痛みを感じる箇所に応じた薬剤を服用する。また、使用者は、必要と感じる栄養成分のサプリメントを服用する。
これらの薬剤やサプリメントは、腸で吸収されると血液と共に全身を流れる。そして、目的部位の毛細血管を流れ、薬成分や栄養成分が取り込まれることで、身体に作用する。ところが、毛細血管での血流が悪いために、薬成分や栄養成分が目的部位まで到達できないことがある。
【００３０】
そこで、使用者は、図１に示すエネルギ付与装置１０を操作して、電磁気的エネルギによる波動を対象体となる目的部位に付与することができる。
その場合、使用者は、まず、服用する薬剤やサプリメントなどの被転写体を、図１に示すテーブル２１ｄに載置する。次に、電源スイッチ２２ａを投入状態とし、第１スイッチ２２ｂおよび第２スイッチ２２ｃは、任意の位置に設定する。そして、使用者は、パッド部４０を持って目的部位に当てる。
【００３１】
電源が投入状態となることで、第１波形出力手段５１は、４時間ごとに同じ波形を繰り返す第１波形と、３０分ごとに同じ波形を繰り返す第２波形とのシューマン波を含む混合波を発生する。
また、第２波形出力手段５２は、第１周波数（３２Ｈｚ）、第２周波数（７．８Ｈｚ）および第３周波数（７．８Ｈｚ〜３２Ｈｚ）の矩形波を発生する。
【００３２】
第１波形出力手段５１からのシューマン波を含む混合波は、ケース２１に内蔵された付与部６０と、パッド部４０に内蔵された付与部６０とのコイル部７０に出力される。
また、第２波形出力手段５２からの矩形波は、ケース２１に内蔵された付与部６０と、パッド部４０に内蔵された付与部６０とのコア部８０に出力される。
【００３３】
コイル部７０に第１波形出力手段５１からの混合波が流れることで、混合波に応じた磁力を発生させることができる。
コイル部７０にコア部８０が配置されているため、コイル部７０のインダクタンスを高めることができ、強力な磁場を発生させることができる。
また、図３に示すように、フェライトコア８１の貫通孔８４に渦巻き状のフェライト含有繊維８５が配置されているため、特許文献１に記載のフェライト含有繊維と同様に、コイル部７０に発生した有害波動を効率的に吸収すると共に有益な波動へ変成することができる。
また、フェライト含有繊維８５が渦巻き状に巻かれているため、フェライト含有繊維８５を高い密度でフェライトコア８１に配置することができ。従って、フェライト含有繊維８５による効果を高めることができる。
【００３４】
コア部８０に第２波形出力手段５２からの矩形波による信号を印加することで、フェライトコア８１を挟む電極８２からも電磁気的エネルギの向上が期待できる。
【００３５】
更に、特許文献２に記載の波動転写機と同様に、図１に示すテーブル２１ｄに載置された薬剤やサプリメントなどに付与部６０からの電磁気的エネルギが付与されることで、パッド部４０から転写された電磁気的エネルギを照射させることができる。このような現象が生じる理由は一部不明な点があるが、パッド部４０がケーブル３０により装置本体２０に接続されているため、パッド部４０を対象体となる目的部位に向けることで、直接的に磁気エネルギを付与することができる。
従って、食品や水などだけでなく体にも効果的に、かつ直接的にエネルギを付与することが可能である。
【００３６】
パッド部４０は、生体に向けるだけでなく、食品や水などに向けるようにしてもよい。  また、装置本体２０の一方のコネクタ２３に接続されたケーブル３０付きパッド部４０だけでなく、他方のコネクタ２３に、他のケーブル３０付きパッド部４０を接続することができる。
２個のパッド部４０を装置本体２０することで、２個のパッド部４０により目的部位に向けて挟むことで、より効果的に電磁気的エネルギを付与することができる。
【００３７】
（実施例）
図４に示す本実施の形態に係るエネルギ付与装置を作製して、図５に示すように、痛みを感じる被験者Ａ〜Ｖの２４症例に使用した。そして、効果を、特許文献３に記載のエネルギ検知装置により確認した。
方法は、図１に示す装置本体２０のテーブル２１ｄに、ビタミンとミネラルを組み合わせたサプリメントをガラス瓶に入れて載せ、同じサプリメントを被験者に服用させる。そして、エネルギ付与装置１０の電源を投入した後、パッド部４０を被験者の目的の部位に接触させた状態で、２０分から３０分ほど、そのまま安静にする。
【００３８】
そして、特許文献３に記載のエネルギ検知装置を用いて、サプリメントのエネルギを推定した。この推定は、検査者が、エネルギ検知装置のプローブを目的の部位に近づけると共に、他の体の部位にも近づけ、それぞれの部位におけるプローブからの微弱な反発力により行う。
【００３９】
そうすることにより、検査者は、パッド部４０を接触させた部位が、他の体の部位より比べて約１０倍の違いを感じた。これにより、パッド部４０を接触させた部位が、他の体の部位より比べて高いエネルギが出現していることを推定することができた。これは、パッド部４０を接触させた部位がサプリメントの吸収を促進したためと推定される。
【００４０】
その結果、パッド部４０を目的部位に接触したときに被験者が感じた痛みを１０とすると、２０分から３０分ほど経過した後では、痛みが無くなった「０」から、半分程度の痛みを感じる「５」となるなど、全部の症例で痛みが和らぎ、症状が改善したことがわかる。また、不快反応は全例でなかった。
【産業上の利用可能性】
【００４１】
本発明のエネルギ付与装置は、パッド部がケーブルにより装置本体に接続されているため、あらゆる対象体に照射して、電磁気的エネルギによる波動を付与するときに好適である。
【符号の説明】
【００４２】
１０  エネルギ付与装置
２０  装置本体
２１  ケース
２１ａ  前面
２１ｂ  背面
２１ｃ  上面
２１ｄ  テーブル
２２  スイッチ
２２ａ  電源スイッチ
２２ｂ  第１スイッチ
２２ｃ  第２スイッチ
２３  コネクタ
３０  ケーブル
３１  プラグ
４０  パッド部
５０  制御回路
５１  第１波形出力手段
５２  第２波形出力手段
５３  第１増幅部
５３１  内蔵用第１増幅部
５３２  外部用第１増幅部
５４  第２増幅部
５４１  内蔵用第２増幅部
５４２  外部用第２増幅部
６０  付与部
７０  コイル部
７１  芯線
７２  線材
７３  １次コイル
７４  ２次コイル
８０  コア部
８１  フェライトコア
８１ａ  主面
８１ｂ  厚み面
８１ｃ  角部
８２  電極
８３  配線
８４  貫通孔
８５  フェライト含有繊維
１００  電気回路
１０１  ＳＤプレーヤー
１０２  マイクロコントローラー
１１１，１１２  オペアンプ
１２１〜１２４  第１トランジスタ〜第４トランジスタ
Ｓ１１〜Ｓ１３，Ｓ２１〜Ｓ２３  出力線
【図１】
2020058662.tif 000003
【図２】
2020058662.tif 000004
【図３】
2020058662.tif 000005
【図４】
2020058662.tif 000006
【図５】
2020058662.tif 000007